(57)【要約】      （修正有）【課題】短時間で水や種々の飲料の味を美味しく変化させることができる磁気マドラーを提供する。【解決手段】細長い棒状のマドラー本体２と、前記マドラー本体２内に封入され、マドラー本体２の長手方向にそれぞれ磁極を向けて互いに同じ極どうし離間対向するように直列に配列された、複数の永久磁石５とを備えており、それぞれの永久磁石５から出る磁力線が水や飲料中を通過することで、これらの水や飲料中に含まれる水分子を活性化し、水や飲料の風味を改善することができる。【選択図】  図１
2004167020.tif 000002
【特許請求の範囲】
【請求項１】
細長い棒状のマドラー本体と、
前記マドラー本体内に封入され、その長手方向にそれぞれの磁極を向けて互いに異なる極どうし隙間をもって対向するように直列に配列された、複数の永久磁石とを備えたことを特徴とする磁気マドラー。
【請求項２】
マドラー本体の表面に二酸化チタンのコーティング層が形成されていることを特徴とする請求項１記載の磁気マドラー。
【発明の詳細な説明】
【０００１】
【発明の属する技術分野】
本発明は、カップやグラスに注がれた水や清涼飲料水、アルコール飲料等を、磁気の作用によってその味を美味しく変化させることのできる磁気マドラーに関する。
【０００２】
従来より、水が磁気の作用を受けると、水分子の集団（クラスタ）が細分化されて活性化される現象が確認されており、この現象によって、水やアルコール飲料の味が美味になることが知られている。
【０００３】
このような磁気の水に対する作用を応用して、グラスに注がれたアルコール飲料等を撹拌するマドラーに永久磁石を設けたものが従来より提案されている。（例えば、特許文献１参照。）
【０００４】
【特許文献１】
実開昭６３−１１１９９７号公報
【発明が解決しようとする課題】
前述特許文献１に記載されているような、従来の永久磁石を設けたマドラーにおいては、永久磁石はマドラーの先端に設けてあり、グラス内に満たされている水や飲料を撹拌しても、これらの液体の中に生じる磁界の範囲がマドラーの先端近傍のごく狭い領域に限られているので、その効果を得るためには長時間撹拌する必要があった。
【０００５】
そこで、本発明は、前述したような従来技術における問題を解消し、短時間で水や種々の飲料の味を美味しく変化させることができる磁気マドラーを提供することを目的とする。
【０００６】
【課題を解決するための手段】
前記目的のため、本発明の磁気マドラーは、細長い棒状のマドラー本体と、前記マドラー本体内に封入され、その長手方向にそれぞれの磁極を向けて互いに異なる極どうし隙間をもって対向するように直列に配列された、複数の永久磁石とを備えたものである。
なお、前記マドラー本体の表面には二酸化チタンのコーティング層が形成されていることが望ましい。
【０００７】
【発明の実施の形態】
以下、図面に基づいて本発明の実施形態を説明する。
図１は、本発明の磁気マドラーの１実施形態を示す図、図２は、その内部構造を示す縦断面図である。
【０００８】
これらの図に示すように、本実施形態における磁気マドラー１は、透明なアクリル樹脂製の細長いマドラー本体２を有している。マドラー本体２の内部は中空になっており、その下端部は、これも透明なアクリル樹脂製の球状の下部閉塞部材３によって閉塞されている。
【０００９】
前記下部閉塞部材３の一部には円柱状の延長部３Ａが一体に形成されていて、この部分がマドラー本体２の内部に挿入された状態で、マドラー本体２に対して接着剤によって液密に固着されており、マドラー本体２の下端からその内部への水等の液体の侵入が阻止されている。
【００１０】
一方、マドラー本体２の上端部は、アクリル樹脂製の上部閉塞部材４によって閉塞されている。
上部閉塞部材４は、その一部に細長い円柱状の延長部４Ａが形成されていて、この部分がマドラー本体２内に挿入された状態で、接着剤によってマドラー本体２に対して液密に固着されており、マドラー本体２の上端からその内部への水等の液体の侵入が阻止されている。
【００１１】
また、マドラー本体２の内部には、その内周面をマドラー本体２の長手方向に沿ってスライド自在に複数個の短い円筒状の永久磁石５が組み込まれている。
これらの永久磁石５は、前記長手方向にそれぞれ磁極を向けて、互いにＮ極どうし、または、Ｓ極どうしで向き合っており、隣接する永久磁石５間の磁気反発力で、下部閉塞部材３の円柱状部３Ａの端面と上部閉塞部材４の円柱状部４Ａの端面の間に、互いに間隔をあけて直列に配列された状態が維持されている。
【００１２】
本実施形態においては、これらの永久磁石５には強力なネオジム磁石が使用されている。なお、永久磁石５としては、ネオジム磁石に代えて、サマリウム・コバルト磁石やフェライト磁石等の他の種類の永久磁石を用いてもよい。
【００１３】
図２に示すように、これらの永久磁石５から出る磁束Ｆは、互いに隣接する永久磁石５の磁極どうしが同極になっているために、それぞれの磁石５の間からマドラー本体２の壁面を貫通してその外側に出るようになっている。
【００１４】
その結果、磁気マドラー１を図１に示すように、グラスＧに満たした飲料Ｌの中に差し込んで撹拌すると、マドラー本体２内のそれぞれの永久磁石５から出る磁束が、マドラー本体２の側面を通って飲料Ｌに効果的に作用し、この飲料Ｌに含まれる水分子の集団（クラスタ）を速やかに細分化して活性化することができる。
【００１５】
次に、図３は、本発明の磁気マドラーの別の実施形態を示す部分断面図であって、同図に示す磁気マドラー１’においては、マドラー本体２’の表面に二酸化チタンのコーティング層６が形成されている。なお、永久磁石５等、他の部分に関しては、前述した図１及び図２に示す実施形態のものと同じものが用いられている。
【００１６】
この磁気マドラー１’においては、水や飲料を撹拌する際、マドラー本体２’の表面に形成されている二酸化チタンのコーティング層６が光触媒として作用して、殺菌作用をもたらす。
【００１７】
従って、磁気マドラー１’自体が常に衛生的に保たれるとともに、これで撹拌する水や飲料に対しても殺菌効果が得られる。なお、二酸化チタンのコーティング層は、磁気マドラー全体に施してもよい。
【００１８】
前述した各実施形態においては、マドラー本体や下部閉塞部材及び上部閉塞部材をアクリル樹脂で製作しているが、これに代えて、ガラスや、磁束を通過させ且つ錆びにくい金属、例えば、ステンレスやチタン等で製作してもよい。また、磁気マドラーは、磁気マドラー本体と、下部閉塞部材並びに上部閉塞部材とを樹脂で一体に成形し、永久磁石を樹脂の中に封入する構造としてもよい。
【００１９】
【発明の効果】
請求項１記載の発明によれば、細長い棒状のマドラー本体内に、その長手方向にそれぞれ磁極を向けて互いに異なる極どうし離間対向して配置された、複数の永久磁石を封入しているため、マドラー本体の長手方向の広い範囲で、磁束を水や飲料中の水分子に効率良く作用させることができる。
【００２０】
その結果、磁気マドラーの撹拌によって短時間に水分子を活性化させることができ、水や種々の飲料の風味を美味しく変化させることができるとともに、水の界面活性作用が向上するため、コーヒーや紅茶を飲む場合、ミルクや砂糖を均一且つ速やかに溶かすことができる。
【００２１】
また、請求項２記載の発明によれば、請求項１記載の発明の効果に加え、二酸化チタンのコーティング層に太陽光線や蛍光灯に含まれる紫外線が当たることにより、殺菌作用が得られるため、磁気マドラーを常に清潔に保つことができるとともに、水や飲料の殺菌を行うことができる。
【図面の簡単な説明】
【図１】本発明の磁気マドラーの１実施形態を示す図である。
【図２】本発明の磁気マドラーの１実施形態を示す縦断面図である。
【図３】本発明の磁気マドラーの他の実施形態を示す部分断面図である。
【符号の説明】
１、１’    磁気マドラー
２、２’    マドラー本体
３          下部閉塞部材
４          上部閉塞部材
５          永久磁石
６          コーティング層
【図１】
2004167020.tif 000003
【図２】
2004167020.tif 000004
【図３】
2004167020.tif 000005
【手続補正書】
【提出日】平成14年11月21日(2002.11.21)
【手続補正１】
【補正対象書類名】明細書
【補正対象項目名】請求項１
【補正方法】変更
【補正の内容】
【請求項１】
細長い棒状のマドラー本体と、
前記マドラー本体内に封入され、その長手方向にそれぞれの磁極を向けて互いに同じ極どうし隙間をもって対向するように直列に配列された、複数の永久磁石とを備えたことを特徴とする磁気マドラー。
【手続補正２】
【補正対象書類名】明細書
【補正対象項目名】０００６
【補正方法】変更
【補正の内容】
【０００６】
【課題を解決するための手段】
前記目的のため、本発明の磁気マドラーは、細長い棒状のマドラー本体と、前記マドラー本体内に封入され、その長手方向にそれぞれの磁極を向けて互いに同じ極どうし隙間をもって対向するように直列に配列された、複数の永久磁石とを備えたものである。
なお、前記マドラー本体の表面には二酸化チタンのコーティング層が形成されていることが望ましい。


【手続補正３】
【補正対象書類名】明細書
【補正対象項目名】００１９
【補正方法】変更
【補正の内容】
【００１９】
【発明の効果】
請求項１記載の発明によれば、細長い棒状のマドラー本体内に、その長手方向にそれぞれ磁極を向けて互いに同じ極どうし離間対向して配置された、複数の永久磁石を封入しているため、マドラー本体の長手方向の広い範囲で、磁束を水や飲料中の水分子に効率良く作用させることができる。